(57)【特許請求の範囲】
【請求項１】
秤機構と、
前記秤機構の下方に配置されて前記秤機構から計測データが入力される情報処理部および前記情報処理部を支持した支持部を有し、前記秤機構に着脱可能に連結された基部と、
前記基部と前記秤機構とに選択的に装着可能な脚部材と、
を備えた電子機器。
【請求項２】
前記脚部材は、前記基部と前記秤機構とのうちの装着された方からの突出量を調整可能である請求項１に記載の電子機器。
【請求項３】
前記基部は、前記支持部が前記秤機構にねじによって着脱可能に連結された請求項１または２に記載の電子機器。
【請求項４】
前記支持部は、軸方向が上下方向に沿う姿勢で前記秤機構の下部の周縁部に連結された複数の軸部材を有する請求項１ないし３のいずれか一項に記載の電子機器。
【請求項５】
前記支持部には、プリンタを着脱可能に連結する連結部が複数設けられている請求項１ないし４のいずれか一項に記載の電子機器。
【発明の詳細な説明】
【技術分野】
【０００１】
本発明の実施形態は、電子機器に関する。
【背景技術】
【０００２】
従来、秤機構と秤機構から計測データが入力される情報処理部とプリンタとを備えた電子機器が知られている。
【発明の概要】
【発明が解決しようとする課題】
【０００３】
上記従来の電子機器に対して、設置場所の自由度を大きくしたいという要望がある。
【課題を解決するための手段】
【０００４】
実施形態の電子機器は、秤機構と、前記秤機構の下方に配置されて前記秤機構から計測データが入力される情報処理部および前記情報処理部を支持した支持部を有し、前記秤機構に着脱可能に連結された基部と、前記基部と前記秤機構とに選択的に装着可能な脚部材と、を備えている。
【図面の簡単な説明】
【０００５】
【図１】図１は、第１の実施形態にかかる電子機器としての秤付きプリンタを示すであって、各部が一体化された状態を示す斜視図である。
【図２】図２は、第１の実施形態にかかる秤付きプリンタを示すであって、各部が分離された状態を示す図である。
【図３】図３は、第１の実施形態にかかる秤部を示す図であって、カバーが取り外された状態を示す図である。
【図４】図４は、第１の実施形態にかかる第１の部品と脚部材との分離状態を示す斜視図である。
【図５】図５は、第１の実施形態にかかる第２の部品と載置皿との分離状態を示す斜視図である。
【図６】図６は、第１の実施形態にかかる第２の部品を示す図であって、ねじが分離された状態を示す斜視図である。
【図７】図７は、第１の実施形態にかかる第２の部品の分解斜視図である。
【図８】図８は、第１の実施形態にかかる情報処理部と第４の部品を示す図であって、ねじが分離された状態を示す斜視図である。
【図９】図９は、第１の実施形態にかかる第４の部品の分解斜視図である。
【図１０】図１０は、第１の実施形態にかかるロードセルユニットを示す斜視図である。
【図１１】図１１は、第１の実施形態にかかる第５の部品を示す斜視図である。
【図１２】図１２は、第１の実施形態にかかる秤機構を示す斜視図である。
【図１３】図１３は、第１の実施形態にかかる秤機構と脚部材とを示す分解斜視図である。
【図１４】図１４は、第１の実施形態にかかる相互に分離された秤機構と基部とを示す斜視図である。
【図１５】図１５は、第１の実施形態にかかる相互に分離された秤機構と基部とを示す斜視図である。
【図１６】図１６は、第２の実施形態にかかる秤部を示す図であって、カバーが取り外された状態を示す図である。
【図１７】図１７は、第２の実施形態にかかる第１の部品と脚部材との分離状態を示す斜視図である。
【図１８】図１８は、第２の実施形態にかかる第２の部品と載置皿との分離状態を示す斜視図である。
【図１９】図１９は、第２の実施形態にかかる第２の部品を示す図であって、ねじが分離された状態を示す斜視図である。
【図２０】図２０は、第２の実施形態にかかる第２の部品の分解斜視図である。
【図２１】図２１は、第２の実施形態にかかる情報処理部と第４の部品を示す図であって、ねじが分離された状態を示す斜視図である。
【図２２】図２２は、第２の実施形態にかかる第４の部品の分解斜視図である。
【図２３】図２３は、第２の実施形態にかかる相互に分離された秤機構と基部とを示す斜視図である。
【図２４】図２４は、第２の実施形態にかかる相互に分離された秤機構と基部とを示す斜視図である。
【図２５】図２５は、第３の実施形態にかかる秤付きプリンタを示す図であって、秤部の右側面にプリンタが連結された状態を示す図である。
【図２６】図２６は、第３の実施形態にかかる秤付きプリンタを示す図であって、秤部の右側方にプリンタが分離された状態を示す図である。
【図２７】図２７は、第３の実施形態にかかる秤部およびタッチパネル付き表示装置を示す図であって、（ａ）は正面図、（ｂ）は平面図、（ｃ）は右側面図である。
【図２８】図２８は、第３の実施形態にかかる秤部の右側部を示す斜視図であって、（ａ）は爪部材が収納位置に位置した状態を示す図、（ｂ）は爪部材が係合位置に位置した状態を示す図である。
【図２９】図２９は、第３の実施形態にかかる秤部の側壁を示す正面断面図であり、（ａ）は爪部材が収納位置に位置した状態を示す図、（ｂ）は爪部材が係合位置に位置した状態を示す図である。
【図３０】図３０は、第３の実施形態にかかる第１係合部の上側の爪部材が係合位置に位置した状態を示す斜視図である。
【図３１】図３１は、第３の実施形態にかかる第１係合部の下側の爪部材が係合位置に位置した状態を示す斜視図である。
【図３２】図３２は、第３の実施形態にかかるプリンタを示す図であって、（ａ）は正面図、（ｂ）は右側面図である。
【図３３】図３３は、第３の実施形態にかかるプリンタの右側部を示す斜視図である。
【図３４】図３４は、第３の実施形態にかかるプリンタを示す斜視図である。
【図３５】図３５は、第３の実施形態にかかるプリンタの左側壁を示す図であって、（ａ）は正面図、（ｂ）は右側面図、（ｃ）は平面図である。
【図３６】図３６は、第３の実施形態にかかる秤部へのプリンタの装着手順を説明する図であって、（ａ）は、装着前の状態を示す図、（ｂ）は装着後の状態を示す図である。
【図３７】図３７は、第３の実施形態にかかる秤部の左の側壁にプリンタが装着された状態を示す斜視図である。
【図３８】図３８は、第３の実施形態にかかる秤部の左側にプリンタが分離して配置された状態を示す斜視図である。
【図３９】図３９は、第３の実施形態にかかる秤部の左右両側の側壁にプリンタが装着された状態を示す斜視図である。
【図４０】図４０は、第３の実施形態にかかる秤部の左右両側にプリンタが分離して配置された状態を示す斜視図である。
【発明を実施するための形態】
【０００６】
以下、図面を参照して、実施形態について詳細に説明する。なお、以下の複数の実施形態には、同様の構成要素が含まれている。よって、以下では、それら同様の構成要素には共通の符号を付与するとともに、重複する説明を省略する。
【０００７】
（第１の実施形態）
まずは、第１の実施形態を説明する。図１に示すように、電子機器としての秤付きプリンタ１０は、秤部（電子秤）１００とプリンタ２００と、タッチパネル付き表示装置３００とを、備えている。
【０００８】
秤部１００は、秤機構１０１と基部１０２とを備えている。秤付きプリンタ１０は、秤部１００の秤機構１０１および基部１０２と、プリンタ２００と、タッチパネル付き表示装置３００とが、相互に機械的に連結されて一体化された一体化形態と、秤部１００の秤機構１０１および基部１０２と、プリンタ２００と、タッチパネル付き表示装置３００とが相互に分離された状態の分散形態と、に形態を変更可能となっている。以下、各部を説明しつつ、一体化形態から分散形態への形態変化の手順を説明する。
【０００９】
図１に示すように、秤部１００の秤機構１０１は、略直方体状に形成されている。秤機構１０１は、外形が略扁平直方体状の本体部１１１と、この本体部１１１の上方に配置された載置皿１１２とを、有している。本体部１１１は、ロードセルユニット１１４（図９参照）を含んでおり、このロードセルユニット１１４に載置皿１１２が連結されている。ロードセルユニット１１４は、載置皿１１２に載置された物体（商品）の重さによる荷重に応じて変形する起歪体と、この起歪体に取り付けられたストレンジゲージとを含んでいる。ストレンジゲージは、起歪体の変形に応じて抵抗値が変更するに応じて抵抗値が変化する。ロードセルユニット１１４は、載置皿１１２に載置された物体の重量を起歪体に伝達し、起歪体の変形に応じたストレンジゲージでの抵抗値の変化に応じて変化する電気信号を計測データとして出力する。また、本体部１１１の側壁には、水平器１１３が設けられている。
【００１０】
基部１０２は、図２に示すように、情報処理部１２１と、支持部１２２と、を有している。情報処理部１２１は、ＣＰＵ、ＲＯＭおよびＲＡＭを有するマイクロコンピュータを含んでいる。情報処理部１２１は、秤機構１０１の下方に配置されて秤機構１０１から計測データが入力される。支持部１２２は、上面開口の直方体状の箱形状に形成されている。支持部１２２は、底壁１２２ａと、底壁１２２ａの周縁部に立設された骨格部１２２ｂと、骨格部１２２ｂの外面に取り付けられたカバー１２２ｃと、を有している。底壁１２２ａには、情報処理部１２１が固定されている。情報処理部１２１は、秤機構１０１やプリンタ２００、タッチパネル付き表示装置３００に有線または無線によってデータ通信可能に接続される。有線の場合には、情報処理部１２１や、秤機構１０１、プリンタ２００、タッチパネル付き表示装置３００に、ケーブルを着脱可能に接続すればよい。また、底壁１２２ａの四隅部には、脚部材１０３が装着される装着部１２２ｄ（図２では１箇所だけが示されている）が設けられている。
【００１１】
図３に示すように、秤機構１０１からカバー１２２ｃ（図３には図示せず）を取り外すと、基部１０２の内部が露出する。なお、カバー１２２ｃは、骨格部１２２ｂに例えばねじなどによって着脱可能に取り付けられる。
【００１２】
図３に示すように、骨格部１２２ｂは、底壁１２２ａの四隅部に立設された柱部１２２ｅと、上面視で矩形枠状に形成された上下一対の梁部１２２ｆと、を有している。上側の梁部１２２ｆは、各柱部１２２ｅの上端部同士を連結している。下側の梁部１２２ｆは、各柱部１２２ｅの下端部同士を連結している。
【００１３】
図４に示すように、脚部材１０３は、着地部１０３ａとこの着地部１０３ａの上端部に立設された雄ねじ部１０３ｂと、を有しており、装着部１２２ｄ（図２参照）に着脱可能となっている。装着部１２２ｄには、雄ねじ部１０３ｂに螺合する雌ねじ部が形成されている。脚部材１０３が取り外された状態の基部１０２は、秤機構１０１とによって、第１部品１５１を構成している。
【００１４】
図５に示すように、第１部品１５１は、載置皿１１２と第２部品１５２とに分離可能となっている。詳細には、本体部１１１は、載置皿１１２と第３部品１５３とに分離可能である。そして、第３部品１５３と情報処理部１２１とによって、第２部品１５２が構成されている。第３部品１５３は、ロードセルユニット１１４と、このロードセルユニット１１４に上方から取り付けられたカバー１１５と、を有する。ロードセルユニット１１４は、カバー１１５から突出する支持凸部１１４ａを有しており、この支持凸部１１４ａで載置皿１１２を下方から支持している。
【００１５】
図６に示すように、第２の部品１５２は、ねじ１８１を有する。このねじ１８１は、カバー１１５をロードセルユニット１１４に固定するものである。したがって、ねじ１８１を取り外すことで、図７に示すように、ロードセルユニット１１４からカバー１１５を分離可能となっている。ロードセルユニット１１４と情報処理部１２１とは、第４部品１５４を構成している。
【００１６】
図８に示すように、第４部品１５４は、ねじ１８２を有している。このねじ１８２は、ロードセルユニット１１４を情報処理部１２１に固定するものである。したがって、ねじ１８２を取り外すことで、図９に示すように、情報処理部１２１からロードセルユニット１１４を分離可能となっている。
【００１７】
図１０に示すように、ロードセルユニット１１４は、上述した支持凸部１１４ａを有した支持部１１４ｂと、この支持部１１４ｂを上下動可能に支持した基部１１４ｃと、を有しており、支持部１１４ｂと基部１１４ｃとの間に起歪体が設けられている。
【００１８】
図１１に示すように、ロードセルユニット１１４は、カバー１１５が取り付けられることで、第５の部品１５５を構成する。
【００１９】
図１２に示すように、第５の部品１５５は、載置皿１１２が取り付けられることで、秤機構１０１を構成する。
【００２０】
図１３に示すように、秤機構１０１を構成する第５の部品１５５は、脚部材１０３を取り付け可能となっている。詳細には、図１０に示すように、秤機構１０１を構成するロードセルユニット１１４の基部１１４ｃの四隅部に、装着部１１４ｅが設けられており、この装着部１１４ｅに脚部材１０３が着脱可能に装着される。装着部１１４ｅには、脚部材１０３の雄ねじ部１０３ｂに螺合する雌ねじ部が形成されている。
【００２１】
このような手順で分解および組み立てをすることで、図１４に示すように、秤部１００が、基部１０２と秤機構１０１とに分離される。
【００２２】
なお、図１５に示すように、秤部１００を、基部１０２と秤機構１０１とに分離するまで、脚部材１０３を基部１０２に取り付けたままとしてもよい。この場合には、基部１０２と秤機構１０１とに分離した後に、脚部材１０３を秤機構１０１に装着すればよい。
【００２３】
以上のように、脚部材１０３は、基部１０２と秤機構１０１とに選択的に装着可能となっている。この脚部材１０３は、基部１０２と秤機構１０１とのうちの装着された方からの突出量（高さ）を調整可能である。詳しくは、装着部１１４ｅ，１２２ｄに対する脚部材１０３のねじ込み量を大きくすることで脚部材１０３の突出量を大きくすることができ、反対に、装着部１１４ｅ，１２２ｄに対する脚部材１０３のねじ込み量を小さくすることで脚部材１０３の突出量を小さくすることができる。脚部材１０３は、このように突出量を調整されて設置面に載置され、基部１０２および秤機構１０１を支持する。このように脚部材１０３を調整することで、載置皿１１２を水平にすることができ、これにより、計量精度を向上させることができる。
【００２４】
また、基部１０２は、支持部１２２が秤機構１０１にねじ１８２によって着脱可能に連結されている。また、支持部１２２は、箱形状に形成されている。
【００２５】
次に、図１に戻ってプリンタ２００について説明する。プリンタ２００は、筐体２０１と、筐体２０１の上面に設けられた表示部２０２と、表示部２０２の前方で筐体２０１の上面に設けられた操作部２０３とを、有する。筐体２０１は、略直方体に形成されている。筐体２０１の前壁２０１ａには、発行口２０１ｂが形成されている。このプリンタ２００は、筐体２０１に収容したプリンタ機構によって印字発行したラベル等やレシート用紙などを発行口２０１ｂから発行する。このプリンタ２００は、秤部１００の側面に着脱可能となっている。
【００２６】
次に、タッチパネル付き表示装置３００について説明する。タッチパネル付き表示装置３００は、ＬＣＤ等のディスプレイ３０１と、このディスプレイ３０１上に配置されたタッチパネル３０２と、ディスプレイ３０１およびタッチパネル３０２を支持した筐体３０３とを有している。ディスプレイ３０１およびタッチパネル３０２は、筐体３０３に形成された開口部３０３ａから露出している。このタッチパネル付き表示装置３００は、秤部１００の前面に着脱可能となっている。
【００２７】
以上説明したとおり、本実施形態では、秤付きプリンタ１０において、秤機構１０１と、基部１０２とが、着脱可能である。したがって、秤付きプリンタ１０を様々な設置場所に置くことができる。つまり、秤付きプリンタ１０の設置場所の自由度を大きくすることができる。また、秤付きプリンタ１０において、秤機構１０１と、基部１０２とが、着脱可能であるので、秤付きプリンタ１０の運搬を容易に行うことができる。
【００２８】
更に、本実施形態では、秤付きプリンタ１０に、プリンタ２００とタッチパネル付き表示装置３００とが、着脱可能であるので、秤付きプリンタ１０の設置場所の自由度をより大きくすることができる。
【００２９】
（第２の実施形態）
次に、第２の実施形態を説明する。図１６に示すように、本実施形態では、秤付きプリンタ１０の基部１０２の支持部１２２Ａが、第１の実施形態に対して異なる。
【００３０】
支持部１２２Ａは、軸方向が上下方向に沿う姿勢で秤機構１０１の下部の周縁部に連結された複数（本実施形態では４つ）の軸部材１２２ｇと、これらの軸部材１２２ｇを連結した略矩形板状の連結板１２２ｈと、を有する。また、支持部１２２Ａは、棚板と支持壁支持上面開口の直方体状の箱形状に形成されている。支持部１２２Ａは、複数の軸部材１２２ｇおよび連結板１２２ｈを覆うカバー（図示せず）を有する。連結板１２２ｈには、情報処理部１２１（図２３参照）が固定されている。軸部材１２２ｇの底部には、脚部材１０３が装着される装着部１２２ｄＡが設けられている。軸部材１２２ｇは、骨格部１２２ｂＡを構成している。
【００３１】
図１７に示すように、脚部材１０３は、装着部１２２ｄＡに着脱可能となっている。装着部１２２ｄＡには、雄ねじ部１０３ｂに螺合する雌ねじ部が形成されている。脚部材１０３が取り外された状態の基部１０２は、秤機構１０１とによって、第１部品１５１Ａを構成している。
【００３２】
図１８に示すように、第１部品１５１Ａは、載置皿１１２と第２部品１５２Ａとに分離可能となっている。詳細には、本体部１１１は、載置皿１１２と第３部品１５３Ａとに分離可能である。そして、第３部品１５３Ａと情報処理部１２１とによって、第２部品１５２Ａが構成されている。第３部品１５３Ａは、ロードセルユニット１１４と、このロードセルユニット１１４に上方から取り付けられたカバー１１５と、を有する。ロードセルユニット１１４は、カバー１１５から突出する支持凸部１１４ａを有しており、この支持凸部１１４ａで載置皿１１１２を下方から支持している。
【００３３】
図１９に示すように、第２の部品１５２Ａは、ねじ１８１を有する。このねじ１８１は、カバー１１５をロードセルユニット１１４に固定するものである。したがって、ねじ１８１を取り外すことで、図２０に示すように、ロードセルユニット１１４からカバー１１５を分離可能となっている。ロードセルユニット１１４と情報処理部１２１とは、第４部品１５４Ａを構成している。
【００３４】
図２１に示すように、第４部品１５４Ａは、ねじ１８２を有している。このねじ１８２は、ロードセルユニット１１４を軸部材１２２ｇに固定するものである。軸部材１２２ｇの上端部には、ねじ１８２が螺合する雌ねじ（ねじ孔）１２２ｉ（図２２参照）が形成されている。したがって、ねじ１８２を取り外すことで、図２２に示すように、支持部１２２Ａからロードセルユニット１１４を分離可能となっている。
【００３５】
このようにして分解した各部を第１の実施形態と同じ手順で組み立てることで、本実施形態においても、図２３に示すように、秤部１００が、基部１０２と秤機構１０１とに分離される。なお、図２４に示すように、秤部１００を、基部１０２と秤機構１０１とに分離するまで、脚部材１０３を基部１０２に取り付けたままとしてもよい。この場合には、基部１０２と秤機構１０１とに分離した後に、脚部材１０３を秤機構１０１に装着すればよい。
【００３６】
以上説明したとおり、本実施形態では、秤付きプリンタ１０において、秤機構１０１と、基部１０２とが、着脱可能である。したがって、秤付きプリンタ１０を様々な設置場所に置くことができる。つまり、秤付きプリンタ１０の設置場所の自由度を大きくすることができる。
【００３７】
（第３の実施形態）
次に、第３の実施形態を説明する。
図２５に示す本実施形態の秤付きプリンタ１０は、秤部１００Ｂの右側面および左側面にプリンタ２００Ｂが着脱可能となっている（図３７参照）。なお、秤部１００Ｂおよびプリンタ２００Ｂの基本的な構成は第１の実施形態と同様である。
【００３８】
図２６に示すように、秤付きプリンタ１０は、秤部１００Ｂとプリンタ２００Ｂとを相互に着脱させる着脱機構として、秤部１００Ｂの基部１０２の支持部１２２に設けられた複数の連結部としての左右一対の第１係合部１３０（図２６では一方のみを示している）と、プリンタ２００Ｂに設けられた左右一対の第２係合部２３０と、を備えている。したがって、プリンタ２００Ｂは、秤部１００Ｂの基部１０２の支持部１２２に着脱可能に連結されている。また、支持部１２２には、プリンタ２００Ｂを着脱可能に連結する連結部が複数設けられている。
【００３９】
図２７に示すように、秤部１００Ｂの左右一対の第１係合部１３０は、秤部１００Ｂのカバー１２２ｃを構成する左右一対の側壁１２２ｊに設けられている。左右一対の第１係合部１３０は、左右一対の側壁１２２ｊの間に位置して側壁１２２ｊと平行な面に対して面対称であるので、以下では、右側の第１係合部１３０を例に詳しく説明する。
【００４０】
図２８に示すように、第１係合部１３０は、矩形板状の側壁１２２ｊの四隅部のうちの三隅部に設けられた爪部材１３１を有する。爪部材１３１は、側壁１２２ｊの下部の前後の角部と、側壁１２２ｊの上部の後部の角部に設けられている。爪部材１３１は、側壁１２２ｊに回動可能に連結されている。
【００４１】
図２９に示すように、側壁１２２ｊの外面には、各爪部材１３１毎に凹部１２２ｋが形成されている。爪部材１３１は、この凹部１２２ｋ内に設けられた支軸１３２によって側壁１２２ｊに対して前後方向に沿った軸周りに回動可能に支持されている。爪部材１３１は、凹部１２２ｋに収納された収納位置（図２９（ａ））と、凹部１２２ｋから突出して第２の係合部２３０と係合可能な係合位置（図２９（ｂ））との間で回動可能となっている。
【００４２】
図３０および図３１に示すように、上側の爪部材１３１と下側の爪部材１３１は、水平面に関して面対称に形成されている。爪部材１３１は、支軸１３２に連結された基壁部１３１ａと基壁部１３１ａに対して略直角に接続された折曲壁部１３２ｂと、を有して略Ｌ字上に形成されている。
【００４３】
次に、プリンタ２００Ｂに設けられた左右一対の第２係合部２３０について説明する。
【００４４】
図３２に示すように、プリンタ２００Ｂの左右一対の第２係合部２３０は、プリンタ２００Ｂの筐体２０１を構成する左右一対の側壁２０１ｃに設けられている。左右一対の第２係合部２３０は、図３３および図３４に示すように、左右一対の側壁２０１ｃの間に位置して側壁２０１ｃと平行な面に対して面対称であるので、以下では、左側の第２係合部２３０を例に詳しく説明する。
【００４５】
図３５に示すように、第２係合部２３０は、矩形板状の側壁２０１ｃの下部に設けられた第１引っ掛け部２３１と、側壁２０１ｃの上部の後端部に設けられた第２引っ掛け部２３２と、を有する。第１引っ掛け部２３１は、側壁２０１ｃの下端部で前後方向に沿って延在してレール状に設けられており、下側の前後の爪部材１３１を前後方向にスライド可能に係合する。第２の引っ掛け部２３２は、後方からの上側の爪部材１３１の係合を許容するとともに、係合した上側の爪部材１３１の前方への移動を規制する。
【００４６】
このような構成において、プリンタ２００Ｂを秤部１００Ｂに装着するには、図３６の（ａ）に示すように、秤部１００Ｂの一方の側壁１２２ｊに沿って、秤部１００Ｂの前方から後方へ向けてプリンタ２００Ｂを移動させて、第２係合部２３０を第１係合部１３０に係合させる。このとき、第２係合部２３０の第１引っ掛け部２３１に第１係合部１３０の下側の前後一対の爪部材１３１が係合し、第２係合部２３０の第２引っ掛け部２３２に第１係合部１３０の上側の爪部材１３１が係合する。これにより、図３６の（ｂ）に示すように、秤部１００Ｂにプリンタ２００Ｂが装着される。図３６は、秤部１００Ｂの右側の側壁１２２ｊにプリンタ２００Ｂを装着した例を示している。なお、本実施形態では、プリンタ２００Ｂが秤部１００Ｂに装着された状態では、プリンタ２００Ｂの上面は、載置皿１１２よりも低い位置に位置する。
【００４７】
上記の構成の秤付きプリンタ１０では、秤部１００Ｂに対するプリンタ２００Ｂの配置として、上述した配置以外にも図３７〜図４０に示す配置を採用することができる。具体的には、図３７に示すように、秤部１００Ｂの左の側壁１２２ｊにプリンタ２００Ｂを装着することができる。また、図３８に示すように、秤部１００Ｂの左側にプリンタ２００Ｂを分離して配置することができる。また、図３９に示すように秤部１００Ｂの左右両側の側壁１２２ｊにプリンタ２００Ｂを装着することができる。また、図４０に示すように、秤部１００Ｂの左右両側にプリンタ２００Ｂを分離して配置することができる。
【００４８】
以上説明したとおり、本実施形態では、プリンタ２００Ｂが、秤部１００Ｂの基部１０２の支持部１２２に着脱可能に連結されており、支持部１２２には、プリンタ２００Ｂを着脱可能に連結する連結部が複数設けられている。したがって、設置場所に応じて秤部１００Ｂとプリンタ２００Ｂとの位置関係をより最適に設定することができる。
【００４９】
以上のとおり、第１から第３の実施形態によれば、電子機器の設置場所の自由度を大きくすることができる。
【００５０】
なお、本発明は、上記各実施形態に限ることなく本発明の要旨を逸脱しない範囲で他の実施形態を各種採用することができる。例えば、上記実施形態では、秤部に対するプリンタの着脱方向を前後方向としたが、これに限ることなく、秤部に対するプリンタの着脱方向を上下方向としてもよい。この場合には、第１係合部および第２係合部の形状を９０度回転させることで実現することができる。
【符号の説明】
【００５１】
１０…秤付きプリンタ（電子機器）
１０１…秤機構
１０２…基部
１０３…脚部材
１２１…情報処理部
１２２，１２２Ａ…支持部
１２２ｇ…軸部材
１３０…第１係合部（連結部）
１８１，１８２…ねじ
２００，２００Ｂ…プリンタ
【先行技術文献】
【特許文献】
【００５２】
【特許文献１】特開２０００−３０４５９９号公報
【図１】
0005270705.tif 000002
【図２】
0005270705.tif 000003
【図３】
0005270705.tif 000004
【図４】
0005270705.tif 000005
【図５】
0005270705.tif 000006
【図６】
0005270705.tif 000007
【図７】
0005270705.tif 000008
【図８】
0005270705.tif 000009
【図９】
0005270705.tif 000010
【図１０】
0005270705.tif 000011
【図１１】
0005270705.tif 000012
【図１２】
0005270705.tif 000013
【図１３】
0005270705.tif 000014
【図１４】
0005270705.tif 000015
【図１５】
0005270705.tif 000016
【図１６】
0005270705.tif 000017
【図１７】
0005270705.tif 000018
【図１８】
0005270705.tif 000019
【図１９】
0005270705.tif 000020
【図２０】
0005270705.tif 000021
【図２１】
0005270705.tif 000022
【図２２】
0005270705.tif 000023
【図２３】
0005270705.tif 000024
【図２４】
0005270705.tif 000025
【図２５】
0005270705.tif 000026
【図２６】
0005270705.tif 000027
【図２７】
0005270705.tif 000028
【図２８】
0005270705.tif 000029
【図２９】
0005270705.tif 000030
【図３０】
0005270705.tif 000031
【図３１】
0005270705.tif 000032
【図３２】
0005270705.tif 000033
【図３３】
0005270705.tif 000034
【図３４】
0005270705.tif 000035
【図３５】
0005270705.tif 000036
【図３６】
0005270705.tif 000037
【図３７】
0005270705.tif 000038
【図３８】
0005270705.tif 000039
【図３９】
0005270705.tif 000040
【図４０】
0005270705.tif 000041